(57)【要約】【課題】見栄えがよく、かつ掃除を容易に行うことができる便器を提供する。【解決手段】便器は、便器本体１０及びカバー３０を有する。便器本体１０は、便鉢１１と、床面Ｆに載置された際に便鉢１１の上端開口１１Ａの外周縁部１２の前方から左右側方に亘って床面Ｆに接する下端面まで延びる外周壁１４とが設けられている。カバー３０は、外周壁１４の左右側面１４Ｓに連続するように取り付けられ、便器本体１０の後部を隠蔽する。外周壁１４には、左右側面１４Ｓの後部に上端から下方に延びて後方外側を向く傾斜面１５が形成され、カバー３０は、前端部３１を傾斜面１５に当接する方向に付勢されて取り付けられている。【選択図】図２
2010180673.tif 000002
【特許請求の範囲】
【請求項１】
便鉢と、床面に載置された際に便鉢の上端開口の外周縁部の前方から左右側方に亘って床面に接する下端面まで延びる外周壁とが設けられた便器本体と、
前記外周壁の左右側面に連続するように取り付けられ、前記便器本体の後部を隠蔽するカバーとを有する便器であって、
前記外周壁には、左右側面の後部に上端から下方に延びて後方外側を向く傾斜面が形成され、
前記カバーは、前端部を前記傾斜面に当接する方向に付勢されて取り付けられていることを特徴とする便器。
【請求項２】
前記カバーは弾性材料により形成され、弾性材料の弾性力によりカバーの前端部を前記傾斜面に当接する方向に付勢していることを特徴とする請求項１記載の便器。
【請求項３】
便器本体の後部に取り付けられる便器装置を有し、前記カバーは便器装置に取り付けられていることを特徴とする請求項１又は２記載の便器。
【請求項４】
前記傾斜面は前記外周壁の上端から下端に亘って形成され、前記カバーの前端部は傾斜面の上端から下端近傍に亘って当接していることを特徴とする請求項１乃至３のいずれか１項記載の便器。
【請求項５】
前記カバーは、前記前端部の上部から下部に沿って内面に設けられた一条の緩衝体を有していることを特徴とする請求項１乃至４のいずれか１項記載の便器。
【発明の詳細な説明】
【技術分野】
【０００１】
本発明は便器に関する。
【背景技術】
【０００２】
特許文献１には、従来の便器が開示されている。この便器は、便器本体を有している。便器本体の後部の両側面には、便器本体の後部を隠蔽するカバーが取り付けられている。便器本体は、便鉢と、床面に載置された際に便鉢の上端開口の外周縁部の前方から左右側方に亘って床面に接する下端面まで延びて形成された外周壁とを有している。外周壁の左右後方には、後方を向いた垂直面が形成されている。カバーは、前端面を外周壁の垂直面に対向させ、表面を外周壁の表面と面一になるように取り付けられている。このように、便器本体の外周壁に連続するようにカバーが取り付けられるため、便器の外観をすっきりとしたものにすることができる。
【先行技術文献】
【特許文献】
【０００３】
【特許文献１】特開２００６−１２２１０６号公報
【発明の概要】
【発明が解決しようとする課題】
【０００４】
しかし、上記従来の便器では、便器本体が製造過程において寸法のばらつきが生じる。このため、カバーが外周壁に重なってしまわないようにカバーの前端面と外周壁の垂直面との間に隙間を設けなければならい。隙間により形成された凹部には埃やゴミ等が溜まってしまう。また、その隙間の大きさはばらついてしまう。隙間が大きくなると見栄えが悪くなる。さらに、カバーの前端部の裏面側と便器本体との間にも隙間が生じてしまう虞がある。隙間が生じると埃やゴミ等がその隙間に溜まってしまう。凹部や隙間に溜まった埃やゴミ等は取り除き難く、掃除に手間を要するとともに、さらに見栄えが悪くなってしまう。
【０００５】
本発明は、上記従来の実情に鑑みてなされたものであって、見栄えがよく、かつ掃除を容易に行うことができる便器を提供することを解決すべき課題としている。
【課題を解決するための手段】
【０００６】
本発明の便器は、便鉢と、床面に載置された際に便鉢の上端開口の外周縁部の前方から左右側方に亘って床面に接する下端面まで延びる外周壁とが設けられた便器本体と、
前記外周壁の左右側面に連続するように取り付けられ、前記便器本体の後部を隠蔽するカバーとを有する便器であって、
前記外周壁には、左右側面の後部に上端から下方に延びて後方外側を向く傾斜面が形成され、
前記カバーは、前端部を前記傾斜面に当接する方向に付勢されて取り付けられていることを特徴とする。
【０００７】
この便器では、便器本体の外周壁の左右側面に形成された傾斜面にカバーの前端部が当接するように付勢されている。傾斜面にカバーの前端部が当接しているため、カバーの前端部より前側に露出した傾斜面により形成された凹部を浅くすることができる。よって、凹部に埃やゴミ等が溜まった場合でも傾斜面であるため拭き取り易い。また、凹部を目立ち難くすることができる。また、傾斜面にカバーの前端部が当接するように付勢されているため、傾斜面とカバーの前端部との間に隙間が生じず、傾斜面とカバーの前端部の間に埃やゴミ等が溜まり難い。さらに、便器本体の寸法のばらつきによりカバーの取り付け位置が変化しても、カバーの前端部が傾斜面に当接する方向に付勢されているため、カバーの前端部を傾斜面を確実に当接させることができる。このため、便器本体の寸法がばらついても傾斜面とカバーの前端部との間に隙間が生じず、傾斜面とカバーの前端部の間に埃やゴミ等が溜まり難い。また、カバーの前端部の前方に傾斜面が広がっても、デザイン的に違和感を感じさせることがない。
【０００８】
したがって、本発明の便器は、見栄えがよく、かつ掃除を容易に行うことができる。
【０００９】
前記カバーは弾性材料により形成され、弾性材料の弾性力によりカバーの前端部を前記傾斜面に付勢し得る。この場合、傾斜面にカバーの前端部を容易に当接させることができる。このため、傾斜面とカバーの前端部との間に隙間を生じさせず、埃やゴミ等を溜まり難くすることができる。
【００１０】
便器本体の後部に取り付けられる便器装置を有し、前記カバーは便器装置に取り付けられ得る。この場合、カバーを便器本体の左右後部に容易に取りつけることができる。
【００１１】
前記傾斜面は前記外周壁の上端から下端に亘って形成され、前記カバーの前端部は傾斜面の上端から下端近傍に亘って当接し得る。この場合、カバーによって便器本体の後部を略全体的に隠蔽することができる。
【００１２】
前記カバーは、前記前端部の上部から下部に沿って内面に設けられた一条の緩衝体を有し得る。この場合、緩衝体が傾斜面に当接し、隙間を確実になくすことができる。このため、埃やゴミ等を溜まり難くすることができる。
【図面の簡単な説明】
【００１３】
【図１】実施例の水洗式便器の側面図である。
【図２】実施例の水洗式便器の分解側面図である。
【図３】実施例の水洗式便器の一部断面図である。
【図４】実施例の水洗式便器の要部拡大断面図である。
【図５】実施例の水洗式便器において便器の寸法がばらついた場合のカバー取付状態を示す一部断面図である。
【発明を実施するための形態】
【００１４】
以下、本発明の便器である水洗式便器を具体化した実施例を図面を参照しつつ説明する。
【実施例】
【００１５】
実施例の水洗式便器は、図１〜図３に示すように、便器本体１０、便器装置２０及びカバー３０を有している。便器本体１０は、下流側に便器排水路が形成された便鉢１１を有している。また、便器本体１０は、床面Ｆに載置された際に、便鉢１１の上端開口１１Ａの外周縁部１２の前方から左右側方に亘って床面Ｆに接する下端面１３まで延びる外周壁１４を有している。外周壁１４には、左右側面１４Ｓの後部に上端から下端に亘り後方外側を向く傾斜面１５が形成されている。傾斜面１５は上方から下方に向けて後方へも傾斜している。便器本体１０の後部上面には、上下方向に貫通した一対の取付孔１６が設けられている。
【００１６】
便器装置２０は機能部２１を有している。機能部２１の底部は、図示しないベースプレートにより形成されている。ベースプレートには、図示しないバルブ等の便器洗浄装置、シャワーノズル等の局部洗浄装置、空調装置、スピーカー等の音響装置及びＬＥＤを利用した照明装置等の機能部品が取り付けられている。また、ベースプレートには機能部カバー２１Ａが取り付けられ、機能部カバー２１Ａ内に各機能部品が収納されている。機能部カバー２１Ａの前面上部には、回動可能に軸支された便蓋２５及び図示しない便座が取り付けられている。ベースプレートの後部には、後述するカバー３０の挿入片３３が挿入される挿入溝２２が設けられている。
【００１７】
ベースプレートの後部下面には、便器洗浄装置の一部分が垂下状態に保持されている。ベースプレートには、ベースプレートの下方に垂下された便器洗浄装置を保護する保護カバー２３が取り付けられている。保護カバー２３の側面下端には、同軸上に配置された一対の円柱状の係合部２４が設けられている。係合部２４は、後述するカバー３０に設けられた一対のクランプ３４に嵌め込まれる。ベースプレートの下面には、便器装置２０を便器本体１０に固定する固定ボルト２６が取り付けられている。固定ボルト２６は、便器本体１０に貫設された取付孔１６を上方から貫通し、ワッシャー２８を介して、ナット２７が螺合される。これにより、便器装置２０は便器本体１０に着脱可能に固定される。
【００１８】
カバー３０の前端部３１は傾斜面１５の上端から下端近傍に沿うように上方から下方に向けて後方へ傾斜している。カバー３０は、前端部３１の上端から下端に沿って内面に貼着された一条のスポンジ（緩衝体）３１Ａを有している。カバー３０の上端部３２には、挿入片３３が上方に突出して形成されている。挿入片３３の上部両端には、外側に突出する係止部３３Ａが設けられている。
【００１９】
カバー３０の内面には、一対のクランプ３４が設けられている。クランプ３４は、内側に向けて開口し、便器装置２０の保護カバー２３に設けられた係合部２４を嵌め込み可能に形成されている。カバー３０には、カバー３０が便器装置２０に取り付けられた際、空調装置の排気口及び音響装置のスピーカーに対応する位置に複数の開口３５が設けられている。
【００２０】
カバー３０は可撓性を有し、上端部３２の挿入片３３が便器本体１０に固定されたベースプレートの挿入溝２２に挿入された際、前端部３１が便器本体１０の内側に入り込むように湾曲して形成されている。
【００２１】
このように形成されたカバー３０は、挿入片３３をベースプレートに設けられた挿入溝２２に挿入し、係止部３３Ａを挿入溝２２の上端部に係止される。その後、クランプ３４を保護カバー２３に設けられた係合部２４に嵌合させる。このようにして、カバー３０は、便器本体１０に固定された便器装置２０に着脱自在に取り付けられる。このため、カバー３０を便器本体１０の左右後部に容易に取り付けることができる。また、カバー３０の前端部３１は、傾斜面１５の上端から下端近傍に亘って当接しているため、便器本体１０の後部を略全体的に隠蔽することができる。
【００２２】
また、カバー３０が便器装置２０に取り付けられる際、図４に示すように、カバー３０の前端部３１は、傾斜面１５に当接しながら外側に向けて弾性変形される。このため、外周壁１４の左右側面１４Ｓに連続するようにカバー３０が取り付けられると共に、カバー３０の前端部３１は傾斜面１５に当接する方向に付勢される。このように、傾斜面１５にカバー３０の前端部３１を容易に当接させることができる。さらに、カバー３０に貼着されたスポンジ３１Ａを傾斜面１５に隙間なく当接させることができる。
【００２３】
カバー３０の前端部３１より前側に露出した傾斜面１５により形成された凹部は浅く、凹部に埃やゴミ等が溜まった場合でも傾斜面１５であるため拭き取り易い。また、凹部は目立ちにくい。また、傾斜面１５にカバー３０の前端部３１が当接するように付勢され、スポンジ３１Ａが傾斜面１５に当接しているため、傾斜面１５とカバー３０の前端部３１との間に隙間が生じず、傾斜面１５とカバー３０の前端部３１との間に埃やゴミ等が溜まり難い。
【００２４】
したがって、実施例の水洗式便器は、見栄えがよく、かつ掃除を容易に行うことができる。
【００２５】
便器本体１０は陶器製であるため、図５に示すように、製造過程において寸法がばらつく。このため、取付孔１６は所定範囲で前後方向に移動した位置に設けられる。後方側にずれて設けられた取付孔１６Ｌに取り付けられた便器装置２０Ｌは、便器本体１０に対して後方にずれて取り付けられる。これにより、便器装置２０Ｌに取り付けられるカバー３０Ｌも便器本体１０に対して後方にずれて取り付けられる。カバー３０Ｌが後方にずれて取り付けられるため、カバー３０Ｌの前端部３１Ｌは傾斜面１５の後部に当接する。この際、カバー３０Ｌの前端部３１Ｌは傾斜面１５に当接するように付勢されているため、前端部３１Ｌを傾斜面１５に確実に当接させることができる。このため、傾斜面１５とカバー３０Ｌの前端部３１Ｌとの間に隙間が生じず、傾斜面１５と前端部３１Ｌとの間に埃やゴミ等が溜まり難い。また、カバー３０Ｌの前端部３１Ｌの前方に傾斜面１５が広がっても、デザイン的に違和感を感じさせることがない。
【００２６】
本発明は、上記記述及び図面によって説明した実施例に限定されるものではなく、例えば次のような実施例も本発明の技術的範囲に含まれる。
（１）上記実施例では、洗浄タンクを有しない水洗式便器に適用したが、便器本体の後部上方に洗浄タンクを配置した水洗式便器に適用してもよい。また、水洗式便器以外の便器にも適用してもよい。
（２）上記実施例では、カバーを弾性材料により形成し、カバーの前端部を傾斜面に当接する方向に付勢させたが、カバーに弾性部材を取り付けて前端部を傾斜面に当接する方向に付勢するようにしてもよい。
（３）上記実施例では、カバーを便器装置に取り付けたが、便器本体にカバーを取り付けてもよい。
（４）上記実施例では、カバーの前端部が傾斜面の上端から下端近傍に亘って当接するカバーが用いられているが、カバーの前端部が傾斜面の上端から中間位置まで当接するものであってもよい。
【符号の説明】
【００２７】
１０…便器本体
１１…便鉢
１１Ａ…（便鉢の）上端開口
１２…外周縁部
１４…外周壁
１４Ｓ…（外周壁の）左右側面
１５…傾斜面
２０…便器装置
３０、３０Ｌ…カバー
３１、３１Ｌ…前端部
３１Ａ…スポンジ（緩衝体）
Ｆ…床面
【図１】
2010180673.tif 000003
【図２】
2010180673.tif 000004
【図３】
2010180673.tif 000005
【図４】
2010180673.tif 000006
【図５】
2010180673.tif 000007